(57)【特許請求の範囲】
【請求項１】
遊技球を導入する上流側通路と該上流側通路から分岐した賞球払出し通路および貸球払出し通路とを形成するとともに、前記賞球払出し通路および貸球払出し通路のうち任意の一方の払出し通路を通して前記上流側通路から導入された遊技球を球受皿に払い出すことができる払出し通路樋と、
前記上流側通路内で払出し球を検知する上流側球検知センサと、
前記賞球払出し通路および前記貸球払出し通路にそれぞれ設けられた球計数センサと、
前記払出し通路樋の賞球払出し通路と貸球払出し通路の分岐点付近に位置する回動支点部、該回動支点部により回動可能に支持され前記上流側通路を前記賞球払出し通路又は貸球払出し通路のいずれか一方に切替え可能に接続するよう第１の切替え位置と第２の切替え位置とに回動可能な切替弁部、および、該切替弁部を回動操作する操作部からなる通路切替部材と、
該通路切替部材の操作部に係合する先端部および前記払出し通路樋に回動可能に支持された基端部を有し、前記通路切替部材を回動させる切替え操作レバーと、
該切替え操作レバーを回動させて前記通路切替部材を回動させる切替駆動手段と、を備えた遊技球払出し装置であって、
前記球計数センサのうち一方の球計数センサのリード線引出し部が他方の球計数センサのリード線引出し部に対し略直交するよう両球計数センサを配置して、前記切替え操作レバーを該一方の球計数センサに沿って動作させる空間を形成したことを特徴とすることを特徴とする遊技球払出し装置。
【請求項２】
請求項１に記載の遊技球払出し装置において、
前記上流側通路内の球を１個ずつに区切って下流側に払い出す球区切り部材と、
前記上流側球検知センサの検知情報および所定の払出し指令情報に基づいて、前記払い出し部材の払出し動作を制御する払出し制御手段と、を設けたことを特徴とする遊技球払出し装置。
【請求項３】
前記切替駆動手段が、前記切替え操作レバーに係合する上端部から下端部に向って略鉛直方向に延在するプランジャを有するソレノイドで構成されたことを特徴とする請求項２又は３に記載の遊技球払出し装置。
【発明の詳細な説明】
【０００１】
【発明の属する技術分野】
本発明は、遊技球払出し装置に係り、特に賞球と貸球を同一の払出し口から払出す場合にその流下通路中で賞球数および貸球数をそれぞれ計数するとともに球通路の切替えを行う装置に関する。
【０００２】
【従来の技術】
パチンコ遊技機に代表される弾球遊技機においては、遊技球を発射装置により遊技盤面上に発射させ、その発射球が遊技くぎに弾かれながら流下する際に所定の入賞口に入ると賞球の払出し（又はクレジット加算）を行い、一方、球受け皿の遊技球がなくなると、球貸し機の操作に応じて貸球を払い出させる（又はクレジットされた球の払い出しを行う）といった遊技球の払出し動作が行われる。そして、発射可能な遊技球が残り少なくなると、必要に応じてその循環経路への遊技球の補給動作が行われる。
【０００３】
そのため、この種の弾球遊技機には、例えば機枠の裏面側上部に島設備からの球補給を受ける補給タンクと、その補給タンクからの遊技球を賞球として球受け皿側に払い出す賞球払出し装置と、補給タンクからの遊技球を貸球として球受け皿側に払い出す貸球払出し装置と、賞球および貸球の数をそれぞれ計数する賞球センサおよび貸球センサとが装備されている。
【０００４】
【発明が解決しようとする課題】
しかしながら、上記従来の弾球遊技機にあっては、賞球の払出しと貸球の貸し出しとを別個に計数する必要等がある場合、球の払出し先が同じ球受け皿であっても、それぞれの払出しのための装置や通路の大半が独立した構成となっていたため、装置構成の複雑化とコスト高を招いていた。
【０００５】
また、上流側の球検知センサと賞球又は貸球の球計数センサとの間で通路切替えを行うために、通路分岐部に大きな切替え部材やその駆動手段を配置する必要があり、停電時等において上流側の球検知センサで検知された払出し球数と、下流側の賞球計数センサおよび貸球計数センサで計数された遊技球の総数とが一致しなくなる場合があり、不正操作と誤認されるおそれがあった。
【０００６】
そこで、本発明は、払出し球数を正確に計数でき、賞球と貸球の払出し通路を切替えることのできる簡素な遊技球払出し装置を実現し、弾球遊技機の構成の簡素化と製造コストの低減並びに払出し球数の計数精度の向上を図るものである。
【０００７】
【課題を解決するための手段】
上記課題を解決するため、本発明は、遊技球を導入する上流側通路と該上流側通路から分岐した賞球払出し通路および貸球払出し通路とを形成するとともに、前記賞球払出し通路および貸球払出し通路のうち任意の一方の払出し通路を通して前記上流側通路から導入された遊技球を球受皿に払い出すことができる払出し通路樋と、前記上流側通路内で払出し球を検知する上流側球検知センサと、前記賞球払出し通路および前記貸球払出し通路にそれぞれ設けられた球計数センサと、前記払出し通路樋の賞球払出し通路と貸球払出し通路の分岐点付近に位置する回動支点部、該回動支点部により回動可能に支持され前記上流側通路を前記賞球払出し通路又は貸球払出し通路のいずれか一方に切替え可能に接続するよう第１の切替え位置と第２の切替え位置とに回動可能な切替弁部、および、該切替弁部を回動操作する操作部からなる通路切替部材と、該通路切替部材の操作部に係合する先端部および前記払出し通路樋に回動可能に支持された基端部を有し、前記通路切替部材を回動させる切替え操作レバーと、該切替え操作レバーを回動させて前記通路切替部材を回動させる切替駆動手段と、を備えた遊技球払出し装置であって、前記球計数センサのうち一方の球計数センサのリード線引出し部が他方の球計数センサのリード線引出し部に対し略直交するよう両球計数センサを配置して、前記切替え操作レバーを該一方の球計数センサに沿って動作させる空間を形成したことを特徴とすることを特徴とする。
【０００８】
本発明の遊技球払出し装置においては、上流側通路から賞球払出し通路又は貸球払出し通路への接続を通路切替部材の切替え弁部により切り替えて、上流側通路構成の簡素化を図ることができる。しかも、上流側の球検知センサと賞球又は貸球用の球計数センサとの間には通路分岐部に位置する通路切替え部材のみ設置すれば済み、その操作は球計数センサのリード引き出し方向の工夫により形成された空間内で行うことができるので、球検知センサと球計数センサとの間隔を小さくすることができ、停電時等においても上流側と下流側での払出し球数の検知数が異なるといった問題が解消されることになる。
【０００９】
また、上記遊技球払出し装置は、好ましくは、  前記上流側通路内の球を１個ずつに区切って下流側に払い出す球区切り部材と、前記上流側球検知センサの検知情報および所定の払出し指令情報に基づいて、前記払い出し部材の払出し動作を制御する払出し制御手段と、を設けたものである。この構成によると、上流側で払出し球を１個ずつに区切ることで、確実な払出し動作ができる。
【００１０】
さらに、前記切替駆動手段が、前記切替え操作レバーに係合する上端部から下端部に向って略鉛直方向に延在するプランジャを有するソレノイドで構成されているのが好ましい。この場合、プランジャの自重を利用して、通路切替え部材の一定方向への付勢を行うことができ、ソレノイドの出力を抑えることができる。
【００１１】
【発明の実施の形態】
以下、本発明の好ましい実施形態を図面に基づいて説明する。
【００１２】
図１〜図１２は本発明の一実施形態に係る遊技球払出し装置を示す図であり、本発明をパチンコ遊技機に適用した例を示している。
【００１３】
図３〜図５に示すように、本実施形態のパチンコ遊技機１０は、外枠１００に支持されたベース枠体１１と、このベース枠体１１の前面上部に開閉可能に設けられた窓扉１２と、ベース枠体１１の前面側に配置された遊技盤１３とを備えている。また、ベース枠体１１は、図１中の左端側でヒンジ機構１１５Ａ、１１５Ｂを介して外枠１００に前後に開閉可能に支持されており、通常は閉じている。
【００１４】
窓扉１２は、遊技盤１３の遊技領域１３ａに対応する開口窓１２ａを形成したもので、ベース枠体１１に対し前後の開閉ができるよう図示しないヒンジ機構を介してベース枠体１１に回動可能に支持されている。この窓扉１２には、複数の発光素子群を内蔵した電飾表示部１２１、１２２が設けられている。また、窓扉１２はロック機構１２３によってベース枠体１１に対し閉止位置でロックされ、更にベース枠体１１と共に閉止状態で外枠１００にロックされるようになっている。
【００１５】
窓扉１２の下方には、上側球受皿１５が設けられており、その上側球受皿１５の下方側には、下側球受皿１６と、遊技者によって回動操作される操作ハンドル１７とが、それぞれ設けられている。上側球受皿１５はベース枠体１１に開閉可能に支持された上皿パネル１５０の一部として構成されている。１８は、上側球受皿１５の球抜き操作を行うための球抜操作レバーであり、球抜操作レバー１８を図中で左側に移動させる球抜き操作によって上側球受皿１５から下側球受皿１６に遊技球が流下・排出できるようになっている。１９は灰皿である。
【００１６】
遊技盤１３の前面側には、図５に示すように、発射通路２２を通して発射装置３０から発射球が発射される遊技領域１３ａが形成されており、その遊技領域１３ａは、始動入賞口２３とワープルート付の図柄表示装置７０とを略中央に配し、その下方に大入賞口２６および通過ゲート２７をそれぞれ配した構成となっている。また、始動入賞口２３の左右には一般入賞口２４Ａ、２４Ｂ、２５Ａ、２５Ｂが、図柄表示装置７０の左右には風車２８Ａ、２８Ｂ（遊技球の流下方向を変化させる回転自在な障害物）がそれぞれ配設されている。そして、これら役物類を取り囲む円環状に、複数のＬＥＤ等の発光素子を内設した遊技演出用ランプ３１、３２Ａ、３２Ｂ等が設けられ、周方向にブロック分けされたその複数のＬＥＤ群が順次選択的に又は同時に点灯するよう点灯制御されるようになっている。なお、遊技盤１３は、ベース枠体１１の前面側で図５中の左側上下のヒンジ部を介して前後開閉方向に回動可能に支持されている。
【００１７】
このパチンコ遊技機１０においては、図３に示すように、側方に隣接配置された球貸し機１のカード挿入口１ａに度数カードである所定のプリペイドカードが挿入され（勿論、現金投入でもよい）、上側球受皿１５の正面で後述する貸球の貸出し操作がされたとき、貸球が払出し口４９から上側球受皿１５に貸し出される一方、遊技者によるハンドル１７の操作量に応じて、上側球受皿１５の裏側で公知の発射装置３０が作動し、遊技領域内に遊技球を発射する。そして、例えば始動入賞口２３、一般入賞口２４Ａ、２４Ｂ、２５Ａ、２５Ｂ、大入賞口２６のうちいずれかに遊技球が入ると、払出し口４９から上側球受皿１５への賞球の払出しが行われる。また、遊技球が通過ゲート２７を通過すると、図柄表示装置７０の上部に一体的に装着された普通図柄表示装置（符号なし）が作動して、その普通図柄表示用ＬＥＤ（図示していない）の２色交互点灯による普通図柄変動表示を実行し、その変動が所定の停止態様で停止すれば始動入賞口２３のチューリップが開く。また、始動入賞口２３に遊技球が入賞すると、図柄表示装置７０で特別図柄の変動表示ゲームが実行され、その停止態様に応じて大入賞口２６の開閉扉が前後方向に開閉するようになっている。
【００１８】
また、図４に示すように、ベース枠体１１の裏面側には、保護ケース付きの主基板部２１０、電源ユニットを含む集合基板２２０、音声基板２３０、発射基板２４０および図柄制御基板２５０と、複数の機構部材からなる裏機構（詳細は図示していない）とがそれぞれ設けられている。前記裏機構は、例えば島装置からの供給球を収納する球タンク４１と、その球タンク４１からの遊技球を賞球又は貸球として払出し口４９側に供給する球通路樋４２および図示しない球通路と、その球通路の途中で球区切りを行う球区切り装置４３と、球区切り装置４３からの遊技球を賞球と貸球とに区分し計数して払出し口４９側に流下させる賞球／貸球の通路切替え装置５０（球通路切替え装置）で構成されている。
【００１９】
図１および図２に示すように、球区切り装置４３および賞球／貸球の通路切替え装置５０は、全体としてユニット化された１つの賞球・貸球払出し装置４０を構成している。
【００２０】
ここで、球区切り装置４３は、上流側通路５１を形成する払出し通路樋としてのケース８０と、上流側通路５１内で払い出される遊技球を検知する払出し個数検知スイッチ８１（上流側球検知センサ）と、上流側通路５１から払い出される遊技球Ｂを１個ずつ払出し個数検知スイッチ８１の検知位置に案内しながら、前後の遊技球を区画するスプロケット８２（球区切り部材）と、支点型の回動板８３ａを引張りバネ８３ｂによってスプロケット８２に係合させてスプロケット８２の回転を規制し、スプロケット８２から離隔するよう回動板８３ａを吸引して前記回動の規制を解除させ、払い出し球の流下を許容する払出しソレノイド８４と、を具備している。ここで、払出しソレノイド８４は、上流側球検知センサ８１の検知情報および主制御基板２１０側からの賞球や球貸しのための所定の払出し指令情報に基づいて、スプロケット８２による遊技球の払出し動作を制御する払出し制御手段となっている。
【００２１】
また、図６〜図９に外部構成を示す通路切替え装置５０は、遊技球Ｂを導入する上流側通路５１とその上流側通路５１から分岐した賞球払出し通路５２および貸球払出し通路５３とを形成する払出し通路樋５４を有している。この払出し通路樋５４は、賞球払出し通路５２および貸球払出し通路５３のうち任意の一方の払出し通路５２又は５３を通して上流側通路５１から導入された遊技球Ｂを球受皿に払い出すことができる。また、払出し通路樋５４の賞球払出し通路５２と貸球払出し通路５３の通路分岐部５４ａ付近には、上流側通路５１を賞球払出し通路５２又は貸球払出し通路５３のいずれか一方に切替え可能に接続する切替弁としてのフラッパ５５（通路切替え部材）が設けられている。
【００２２】
フラッパ５５は、上流側通路５１の通路中心線の延長上に配置された回動支点としての基端部５５ｃと、基端部５５ｃより上流側通路５１に近接しつつ基端部５５ｃの左右両側に振れる切替弁部５５ａとを有し、図１に示す第１の切替え位置と、図２に示す第２の切替え位置とに回動可能である。そして、フラッパ５５の基端部５５ｃを中心とした回動により、上流側通路５１から賞球払出し通路５２又は貸球払出し通路５３への選択的な払出し通路切替えを行うことができるようになっている。
【００２３】
また、フラッパ５５の基端部５５ｃは払出し通路樋５４の裏面側に突出して設けられており、フラッパ５５の切替弁部５５ａは上流側通路５１から賞球払出し通路５２および貸球払出し通路５３への二股の分岐部５４ａの直前の通路５１Ｅ内に、払出し通路樋５４の裏面側から挿入されている。
【００２４】
また、フラッパ５５は、基端部５５ｃの中心軸に対し平行に離間するとともに所定の回動半径位置で軸方向一方側に突出した係合用突起軸５５ｂを有しており、この係合用突起軸５５ｂには切替え操作レバー５６が回動可能に係合している。
【００２５】
この切替え操作レバー５６は、払出し通路樋５４の通路分岐部５４ａの近傍で円柱状の支軸５７を介して払出し通路樋５４に回動可能に支持された基端部５６ａと、フラッパ５５の所定の回動半径位置で係合用突起軸５５ｂに係合する先端部５６ｂとを有しており、その先端部５６ｂには係合用突起軸５５ｂを摺動自在に挿入および摺動させる略Ｕ字形断面のカム溝部５６ｃが形成されている。また、切替え操作レバー５６の切替え駆動は、切替駆動手段としての通路切替えソレノイド５８によって行われる。
【００２６】
通路切替えソレノイド５８はプランジャ６１を有しており、このプランジャ６１は切替え操作レバー５６に係合する上端部６１ａから下端部６１ｂに向って略鉛直方向に延在している。プランジャ６１の上端部６１ａは、切替え操作レバー５６に係合する円板状の操作部として構成されており、プランジャ６１の下端部６１ｂにはスナップリング６１ｃが装着されている。そして、プランジャ６１と通路切替えソレノイド５８のケース６２との間には、プランジャ６１の自重程度又はそれ以下の下方への付勢力を発生するばね定数の小さい圧縮ばね６３が縮設されている。
【００２７】
そして、通路切替えソレノイド５８が通電励磁されない通常状態では、図１に示すように、プランジャ６１が自重および圧縮ばね６３の付勢力によってケース６２の一部に当接する位置まで下降し、通路切替えソレノイド５８が励磁されると、図２に示すように、プランジャ６１が自重および圧縮ばね６３の付勢力に抗して持ち上げられて吸引保持され、フラッパ５５の切替弁部５５ａが図２に示す位置へと回動する。なお、このとき、貸球がフラッパ５５に当接すると、フラッパ５５の切替弁部５５ａの先端が払出し通路樋５４の上流側通路５１の内壁部５１ａに当接し、フラッパ５５の所定角度以上の回動が規制される。
【００２８】
なお、上流側通路５１が賞球払出し通路５２又は貸球払出し通路５３に分岐する直前の通路５１Ｅは下側ほど通路幅が大きくなるようスカート状に広がっており、フラッパ５５の切替弁部５５ａの先端はその中で図１中の左右に回動操作される。
【００２９】
一方、賞球払出し通路５２には賞球の払出し球数を計数するための球計数センサ９２が、貸球払出し通路５３には貸し球の払出し球数を計数するための球計数センサ９３が、それぞれ設けられている。これら球計数センサ９２、９３は、それぞれ例えば近接スイッチからなる。
【００３０】
図１０に示すように、各球計数センサ９２、９３は略長方形のセンサハウジング９２ｈ、９３ｈの長手方向一端側に遊技球を通過させる通過穴９２ａ、９３ａを有するとともに、センサハウジング９２ｈ、９３ｈの長手方向他端側にリード線９２ｃ、９３ｃへの接続コネクタ部９２ｂ、９３ｂ（リード線引出し部）を有している。また、球計数センサ９２、９３のうち一方の球計数センサ９３の接続コネクタ部９３ｂが他方の球計数センサ９２の接続コネクタ部９２ｂに対し略直交するよう、両センサ９２、９３が直交配置されている。そして、このように球計数センサ９２、９３をその長手方向を互いに直交させて配置したことにより、切替え操作レバー５６を一方の球計数センサ９３に沿って通路切替え方向に回動させるための操作機構設置空間Ａwが形成されている。リード線９２ｃ、９３ｃはそれぞれ球計数センサ９２、９３を外部の制御基板（検出回路を含む例えば主制御基板２１０）側に接続するようになっており、リード線９２ｃは中継基板９５を介して外部接続される。
【００３１】
なお、図９に示すように、通路切替え装置５０は、払出し通路樋５４の裏面側を覆って球通路を形成する裏面カバー５９を有しており、切替え操作レバー５６はこの裏面カバー５９の図示しない穴を通して裏側に突出する支軸５７の後端部に、ねじ６５によって締結されている。
【００３２】
上述のように構成された本実施形態の通路切替え装置では、パチンコ遊技機１０の運転状態において、通常は通路切替えソレノイド５８のプランジャ６１が自重により下がった位置にある。したがって、フラッパ５５は、図１に示すように第１の切替え位置にあり、上流側通路５１が賞球払出し通路５２に接続された状態となっている。
【００３３】
一方、球貸し機１へ所定の操作により球貸し動作がなされるときには、通路切替えソレノイド５８が励磁されてプランジャ６１が図２に示すように吸引され（上昇し）切替え操作レバー５６の先端部５６ｂが上がる。したがって、フラッパ５５は第１の切替え位置から第２の切替え位置に回動し、上流側通路５１が貸球払出し通路５３に接続された状態となる。
【００３４】
このように、本実施形態においては、上流側通路５１から賞球払出し通路５２又は貸球払出し通路５３への接続をフラッパ５５により切り替えることができ、上流側通路５１を一本化して装置構成の簡素化を図ることができる。
【００３５】
また、上流側の払出し個数検知スイッチ８１と賞球又は貸球の球計数センサ９２、９３との間には、通路分岐部５４ａに位置するフラッパ５５のみ設置すれば済み、しかも、その操作は球計数センサ９２、９３のリード引き出し方向の工夫により形成された操作機構設置空間Ａw内で行うことができるので、球検知センサ８１と賞球又は貸球の球計数センサ９２、９３との間隔を非常に小さくすることができる。その結果、停電時等においても、上流側の球検知センサ８１と下流側の球計数センサ９２、９３とで払出し球数の検知数が異なるといった問題が生じ難くなり、そのような問題が解消される。
【００３６】
さらに、本実施形態においては、切替駆動手段である切替えソレノイド５８が、切替え操作レバー５６に係合する上端部６１ａから下端部６１ｂに向って略鉛直方向に延在するプランジャ６１を有するソレノイドで構成されているので、プランジャ６１の自重を利用して、フラッパ５５の一定方向への付勢を行うことができ、出力の大きくない小形のソレノイド５８を採用することができる。
【００３７】
なお、上述の実施形態の説明においては、切替え操作レバー５６が上下方向に回動（揺動）するものであったが、操作機構設置空間Ａw内における操作部材は切替え操作レバー５６のようなものに限らず、自らの長手方向軸線の回りに回動したり軸方向移動したりするものであってもよく、その駆動手段はソレノイド５８のような直動式のものに限らず、モータ等の回転駆動手段であってもよい。また、本発明の通路切替え装置は、パチンコ遊技機に限らず、アレンジボール機その他の弾球遊技機に適用できることはいうまでもない。
【００３８】
【発明の効果】
本発明の遊技球払出し装置によれば、上流側通路から賞球払出し通路又は貸球払出し通路への接続を通路切替部材により切り替えて、上流側通路構成の簡素化を図ることができる。しかも、上流側の球検知センサと賞球又は貸球の球計数センサとの間に、通路分岐部に位置する通路切替え部材のみ設置し、球計数センサのリード引き出し方向の工夫により形成された空間内でその操作を行うようにしているので、球検知センサと賞球又は貸球の球計数センサとの間隔を非常に小さくすることができ、しかも、停電時等において上流側と下流側での払出し球数の検知数が異なるといった問題を解消することができる。
【図面の簡単な説明】
【図１】本発明の一実施形態に係る遊技球払出し装置の概略構成および通常の賞球通路選択状態を示すその正面図である。
【図２】図１の遊技球払出し装置の球貸し通路選択状態を示すその正面図である。
【図３】本発明の一実施形態に係る遊技球払出し装置を具備するパチンコ遊技機の正面側の斜視図である。
【図４】一実施形態のパチンコ遊技機の裏面図である。
【図５】一実施形態のパチンコ遊技機の窓開放状態での正面図である。
【図６】一実施形態の遊技球払出し装置の通路切替え装置をパチンコ遊技機の裏面側から見たその裏面図である。
【図７】図８の通路切替え装置の上面図である。
【図８】図7の通路切替え装置の側面図である。
【図９】図7の通路切替え装置をパチンコ遊技機の正面側から見たその正面図である。
【図１０】一実施形態における球貸し通路および賞球通路内の球計数センサの配置状態を示すその説明図である。
【図１１】一実施形態の遊技球払出し装置における通路切替え部材を示す図で、（ａ）は（ｂ）のＡ−Ａ断面図、（ｂ）はその正面図である。
【図１２】一実施形態の遊技球払出し装置における切替え操作レバーを示す図で、（ａ）はその正面図、（ｂ）は（ａ）のＡ−Ａ断面図、（ｃ）は（ａ）のＢ-Ｂ断面図である。
【符号の説明】
１０    パチンコ遊技機
４０    賞球・貸球払出し装置
４３    球区切り装置
５０    通路切替え装置
５１    上流側通路
５１ａ    内壁部
５２    賞球払出し通路
５３    貸球払出し通路
５４    払出し通路樋
５４ａ    通路分岐部
５５    フラッパ（通路切替え部材）
５５ａ    切替弁部
５５ｂ    係合用突起軸
５５ｃ    基端部
５６    操作レバー
５７    支軸
５８    通路切替えソレノイド
６１    プランジャ
８１    個数検知スイッチ（上流側球検知センサ）
８２    スプロケット（球区切り部材）
８４    払出しソレノイド（払出し制御手段）
９２、９３    球計数センサ
９２ａ、９３ａ    通過穴
９２ｂ、９３ｂ    接続コネクタ部（リード線引出し部）
【図１】
0004477751.tif 000002
【図２】
0004477751.tif 000003
【図３】
0004477751.tif 000004
【図４】
0004477751.tif 000005
【図５】
0004477751.tif 000006
【図６】
0004477751.tif 000007
【図７】
0004477751.tif 000008
【図８】
0004477751.tif 000009
【図９】
0004477751.tif 000010
【図１０】
0004477751.tif 000011
【図１１】
0004477751.tif 000012
【図１２】
0004477751.tif 000013